(57)【要約】【課題】如何なる記録メディアであっても、タイマ予約録画時に番組冒頭部分を欠落して記録することのないタイマ予約装置を提供する。【解決手段】マイクロコンピュータ１３は、タイマ予約待機状態において動作し、マイクロコンピュータ１４と記録再生部１５とを起動する。マイクロコンピュータ１３は、記録再生部１５で用いる記録メディアに基づき所定時間を決定し、タイマ予約時刻からこの所定時間前を検知し、チューナ１１、マイクロコンピュータ１４および記録再生部１５を立ち上げ、マイクロコンピュータ１４は、タイマ予約録画の開始において、記録再生部１５と表示管１６とを制御する。これにより、記録メディアの起動に要する時間を考慮して、前もって録画可能な状態にするので、番組の冒頭から確実に録画することができる。【選択図】  図１
2004289416.tif 000002
【特許請求の範囲】
【請求項１】
タイマ予約待機状態において動作する第１のマイクロコンピュータと、前記第１のマイクロコンピュータにより起動される第２のマイクロコンピュータと、前記第２のマイクロコンピュータにより制御される記録再生部と、装置の動作状態を表示する表示部とを備え、
前記第１のマイクロコンピュータは、前記記録再生部で用いる記録メディアに基づき所定時間を決定し、タイマ予約時刻から前記所定時間前を検知し、前記第２のマイクロコンピュータおよび前記記録再生部を立ち上げ、
前記第２のマイクロコンピュータは、タイマ予約録画の開始において、前記記録再生部と前記表示部とを制御することを特徴とするタイマ予約装置。
【請求項２】
前記第２のマイクロコンピュータは、所望のＶＰＳラベルを検知することによりタイマ予約録画を開始することを特徴とする請求項１記載のタイマ予約装置。
【請求項３】
前記表示部は、第２のマイクロコンピュータの起動に関わらずタイマ予約録画の開始までは、タイマ予約待機状態の表示とすることを特徴とする請求項１記載のタイマ予約装置。
【発明の詳細な説明】
【０００１】
【発明の属する技術分野】
本発明は、ＤＶＤドライブやＨＤＤドライブ等の記録再生部を備えた機器において、ＶＰＳ（ビデオプログラミングシステム）ラベルのような特定の放送信号内における予約録画を行うための時刻情報によって、タイマ予約録画を行うタイマ予約装置に関する。
【０００２】
【従来の技術】
従来のタイマ予約装置としては、例えば、特許文献１に記載されている。
【０００３】
この従来のタイマ予約装置において、例えばＶＰＳ予約された予約日の前日ＰＭ８：００〜翌日ＡＭ４：００の間で、内部電源をオンにすると、その期間、電力消費されてしまうので、内部電源をオンしてからＶＰＳラベルチェックを行い、設定したタイマ予約のＶＰＳラベルである場合にタイマ録画を開始し、設定したタイマ予約のＶＰＳラベルでない場合に一定期間（例えば、約１秒毎）だけ内部電源をオフとするものである。
【０００４】
従って、目的とする番組情報（ＶＰＳラベル）が検出されないときには、内部電源を所定時間だけオフに切り換えるので、低消費電力化を図ることができる。
【０００５】
【特許文献１】
登録実用新案第３０４２２８５号公報
【０００６】
【発明が解決しようとする課題】
しかしながら上記の従来の構成では、内部電源をオン・オフしながら、設定したタイマ予約のＶＰＳラベルの検出を行い、ＶＰＳラベルが検出されてからタイマ録画を開始するので、記録する装置がＤＶＤドライブやハードディスク・ドライブ（ＨＤＤ）等の場合、ＶＰＳラベルを検出しているにも関わらず記録ドライブ装置が起動中のため記録開始まで数十秒要してしまい、番組の冒頭部分を欠落して録画してしまうという問題点を有していた。
【０００７】
また、これを避けるために、内部電源のオン・オフ制御を辞めれば、消費電力が増大してしまう。
【０００８】
本発明は、上記の従来の問題を解決するもので、ＶＰＳラベルのような特定の放送信号内における予約録画を行うための時刻情報によって、タイマ予約録画を開始する場合、その番組の最初より録画を開始させるために、タイマ予約設定を行った開始時刻数十秒前に、外部からの見た目は変更せず（タイマ予約待機モードを維持して）、内部的には起動させておくことで、ＶＰＳラベル取得時、早急にタイマ録画を開始することができ、番組の最初を欠落することなく記録することができるタイマ予約装置を提供することを目的とする。
【０００９】
【課題を解決するための手段】
前記従来の課題を解決するために、本発明のタイマ予約装置は、タイマ予約待機状態において動作する第１のマイクロコンピュータと、第１のマイクロコンピュータにより起動される第２のマイクロコンピュータと、第２のマイクロコンピュータにより制御される記録再生部と、装置の動作状態を表示する表示部とを備え、第１のマイクロコンピュータは、記録再生部で用いる記録メディアに基づき所定時間を決定し、タイマ予約時刻からこの所定時間前を検知し、第２のマイクロコンピュータおよび記録再生部を立ち上げ、第２のマイクロコンピュータは、タイマ予約録画の開始において、記録再生部と表示部とを制御するものである。
【００１０】
これにより、記録メディアの起動に要する時間を的確に設定して、録画可能な状態にするので、タイマ予約録画の開始時に番組の最初を確実に録画することができる。
【００１１】
【発明の実施の形態】
本発明の請求項１に係る発明は、タイマ予約待機状態において動作する第１のマイクロコンピュータと、前記第１のマイクロコンピュータにより起動される第２のマイクロコンピュータと、前記第２のマイクロコンピュータにより制御される記録再生部と、装置の動作状態を表示する表示部とを備え、前記第１のマイクロコンピュータは、前記記録再生部で用いる記録メディアに基づき所定時間を決定し、タイマ予約時刻から前記所定時間前を検知し、前記第２のマイクロコンピュータおよび前記記録再生部を立ち上げ、前記第２のマイクロコンピュータは、タイマ予約録画の開始において、前記記録再生部と前記表示部とを制御するものである。
【００１２】
また、本発明の請求項２に係る発明は、請求項１に係る発明において、前記第２のマイクロコンピュータは、所望のＶＰＳラベルを検知することによりタイマ予約録画を開始するものである。
【００１３】
また、本発明の請求項３に係る発明は、前記表示部は、第２のマイクロコンピュータの起動に関わらずタイマ予約録画の開始までは、タイマ予約待機状態の表示とするものである。
【００１４】
これにより、ＶＰＳラベルのような特定の放送信号内における予約録画を行うための時刻情報によって、タイマ予約録画を開始する場合、その番組の最初より録画を開始させるために、タイマ予約設定時刻より記録メディアで決定される所定時間だけ前に、外部からの見た目は変更せずにタイマ予約待機状態を維持して、内部的には起動させておくことで、ＶＰＳラベル取得時、早急にタイマ録画を開始することができ、番組の冒頭部分から確実に記録することができる。
【００１５】
以下、本発明の実施の形態について、図面を参照しながら説明する。
【００１６】
（実施の形態１）
図１は、本発明の実施の形態１におけるタイマ予約装置の構成を示すブロック図である。
【００１７】
図１において、１１は、放送信号を取得するチューナであり、１２は、タイマ予約装置内の各部に電源を供給する電源部であり、１３は、タイマ予約の待機状態において各部を制御するマイクロコンピュータ（第１のマイクロコンピュータ）であり、１４は、タイマ予約の録画動作時において各部を制御するマイクロコンピュータ（第２のマイクロコンピュータ）であり、１５は、ＤＶＤ（デジタル・ビデオ・ディスク）やＨＤＤ（ハードディスク・ドライブ）等の記録用ドライブから成る記録再生部であり、１６は、タイマ予約装置の動作状態を表示するための表示管である。
【００１８】
本実施の形態では、低消費電力化を図るために２つのマイクロコンピュータ１３，１４を備えている。タイマ予約がセットされた状態で予約時刻まで待機しているタイマ予約待機モード時は、マイクロコンピュータ１３と表示管１６のみが動作し、タイマ予約が開始されるタイマ予約録画モード時は、チューナ１１、マイクロコンピュータ１３、マイクロコンピュータ１４、表示管１６及び記録再生部１５が動作する。
【００１９】
次に、マイクロコンピュータ１３を構成する機能について説明する。図１において、２０は、時間を計測するタイマであり、２１は、タイマ予約待機モードにおいて、タイマ２０からの時刻情報によりタイマ予約時刻を管理する予約録画時刻管理部であり、２２は、予約録画時刻管理部２１において、タイマ予約時刻の所定時間（例えば数十秒）前になった場合、チューナ１１、マイクロコンピュータ１４及び記録再生部１５に電源部１２からの電力を供給する電源制御部であり、２３は、マイクロコンピュータ１４の電源がオフの時（タイマ予約待機モードの時）、マイクロコンピュータ１３が表示管１６を制御する表示管制御指令部であり、２４は、表示管１６を制御する表示管制御部である。
【００２０】
また、マイクロコンピュータ１４を構成する機能について説明すると、２５は、マイクロコンピュータ１３からの制御によってマイクロコンピュータ１４が起動したとき、起動理由がＶＰＳ予約モードで起動されたのか、もしくは通常の予約モードで起動されたかの判断を行う予約内容確認部であり、２６は、マイクロコンピュータ１３によって記録再生部１５が起動し、記録再生部１５の起動完了を確認したり記録再生動作を制御するドライブ制御部であり、２７は、マイクロコンピュータ１４がオンの時のみ、マイクロコンピュータ１４が表示管１６を制御する表示管制御指令部であり、２８は、予約内容確認部２５で、マイクロコンピュータ１４の起動理由がＶＰＳ予約モードの場合、チューナ１１から出力されるＶＰＳラベルとタイマ予約設定時刻を比較するＶＰＳコード確認部であり、２９は、タイマ予約待機モードにおいて、予約録画実行の開始終了を制御する予約録画制御部である。
【００２１】
以上の様に構成された本実施の形態によるタイマ予約装置のＶＰＳ予約モードでタイマ予約録画を開始する時の動作について、図３に示すフローチャートを用いて説明する。
【００２２】
ステップＳ３１において、記録再生部１５で用いられる記録用メディアを検出する。ここでは、一例として、ＤＶＤ−Ｒ，ＤＶＤ−ＲＡＭ，ＨＤＤの何れかを検出する。ステップＳ３２〜Ｓ３４において、ステップＳ３１で検出されたメディアに基づき所定値Ａを設定する。記録するメディアによって、電源供給から起動完了するまでの時間が異なるので、ステップＳ３２〜Ｓ３４では、検出されたメディアによって、所定値Ａを設定する。ここに示した例では、ＤＶＤ−Ｒの場合にＡ＝５５秒、ＤＶＤ−ＲＡＭの場合にＡ＝５０秒、ＨＤＤの場合にＡ＝６０秒としている。この様に立ち上げに時間を要するのは、例えば、記録再生部１５は、電源が供給された後、記録のために用いられるインデックス情報の検出などの所定の処理を実施する必要があるからである。
【００２３】
予約録画時刻管理部２１は、ステップＳ３５において、タイマ予約時刻のＡ秒前を管理し、タイマ予約時刻のＡ秒前を検出すると、ステップ３４に移行し、電源制御部２２がチューナ１１とマイクロコンピュータ１４と記録再生部１５に電力を供給する。
【００２４】
そして、ドライブ制御部２６は、ステップＳ３７において、記録再生部１５のドライブが電源供給から起動完了したかどうかを監視し、起動完了を確認すると、ステップＳ３８に移行する。予約内容確認部２５は、ステップＳ３８として、この起動がＶＰＳ予約モードによるものか否かを確認し、ＶＰＳ予約モードによる場合はステップＳ３９を実行し、ＶＰＳ予約モードによらない場合はステップＳ４０に移行する。
【００２５】
ＶＰＳコード確認部２８は、ステップＳ３９として、チューナ１１からのＶＰＳラベルがタイマ予約時刻と一致するかを検出する。一致した場合は、ステップＳ４０に移行する。
【００２６】
表示管制御指令部２７は、ステップＳ４０として、タイマ予約録画モードに移行するため、表示管１６を図３（ａ）に示すタイマ予約待機モードの表示状態から、図３（ｂ）に示すタイマ予約録画モードの表示状態に変更する。
【００２７】
そして、ステップＳ４１に移行し、記録再生部１５がチューナ１１からの番組をメディアに記録する。
【００２８】
図４は、上記説明したタイマ予約待機モードからタイマ録画モードに変わる際、及びタイマ録画モードが終了する際のタイムチャートを示したものである。
【００２９】
図４では、一例として、タイマ予約設定として、ＶＰＳ予約モードをオンとし、録画開始時刻を７時、録画終了時刻を８時にし、記録するメディアとして、例えばＨＤＤを設定した場合を考える。メディアをＨＤＤとしたので、所定値Ａは、６０秒に設定される。従って、タイマ予約設定時刻の６０秒前（６時５９分）に、表示管１６の状態は図３（ａ）のタイマ予約待機モードを維持したまま、内部電源はオンにし、チューナ１１、マイクロコンピュータ１４及び記録再生部１５に電源を供給し、タイマ予約設定開始時刻（７時００分）までに、記録再生部１５の起動完了を終了しておく、そして、予約設定開始時刻頃に、ＶＰＳラベルがタイマ予約設定時刻と同じ（７時００分）になった場合、表示管１６の状態を図３（ｂ）のタイマ予約録画モードに変更し、タイマ予約録画を開始する。そして、終了の時刻になれば、予約録画制御部２９からの制御により、予約録画が終了する。
【００３０】
また、放送側の都合により放送内容が変更され、ＶＰＳラベルが予約設定時刻の７時から８時までにタイマ予約設定時刻と同じもの（７時００分）が来なかった場合は、表示管１６をタイマ予約待機モードに維持し続けることで、ユーザーにとっては、タイマ予約録画を開始しなかったことが分かる。
【００３１】
以上のように、本実施の形態によれば、ＤＶＤもしくはＨＤＤドライブを備えたタイマ予約装置において、確実に記録再生部１５が起動するように記録するメディアによって、タイマ予約時刻からの所定時間（時間Ａ）前を管理し、その所定時間前に記録再生部１５とマイクロコンピュータ１４を立ち上げるとともに、タイマ予約に基づく録画が開始されるまで表示管１６をタイマ予約待機モードのまま維持する。
【００３２】
これにより、起動から録画可能な状態になるまで時間を要する記録メディアを使用している場合でも、番組の冒頭部分を欠落することなく記録でき、さらに、表示部１６は、実際に記録が開始されるまでタイマ予約待機モードのままなので、ユーザが表示を見て混乱することもなく、また、僅かでも消費電力の低減を図ることができる。
【００３３】
なお、本実施の形態において、記録再生部１５における記録メディアは、ＤＶＤ−ＲやＤＶＤ−ＲＡＭ等の光ディスク、ハードディスク（磁気ディスク）など如何なるものであっても良いし、記録再生部１５は、複数の記録メディアから選択可能な構成、あるいは複数の記録ドライブ装置から選択可能な構成とすればよい。
【００３４】
【発明の効果】
以上のように本発明は、ＶＰＳラベルのような特定の放送信号内における予約録画を行うための時刻情報によって、タイマ予約録画を開始する場合、その番組の最初より録画を開始させるために、タイマ予約設定を行った開始時刻（記録メディアにより決定され、例えば数十秒）前に、タイマ予約待機モードを維持させたまま外部からの見た目は変更せず、内部的には起動させておくことで、ＶＰＳラベル取得時、早急にタイマ録画開始することができ、番組の最初を欠落することなく記録することができるという優れた効果を得られる。
【図面の簡単な説明】
【図１】本発明の実施の形態１によるタイマ予約装置の構成を示すブロック図
【図２】同タイマ予約装置の動作を説明するためのフローチャート
【図３】同タイマ予約装置の表示管の表示例を示す概念図
【図４】同タイマ予約装置の動作を説明するためのタイムチャート
【符号の説明】
１１  チューナ
１２  電源部
１３、１４  マイクロコンピュータ
１５  記録再生部
１６  表示管
２０  タイマ
２１  予約録画時刻管理部
２２  電源制御部
２３、２７  表示管制御指令部
２４  表示管制御部
２５  予約内容確認部
２６  ドライブ制御部
２８  ＶＰＳコード確認部
２９  予約録画開始制御部
【図１】
2004289416.tif 000003
【図２】
2004289416.tif 000004
【図３】
2004289416.tif 000005
【図４】
2004289416.tif 000006